(57)【要約】      （修正有）【課題】幼児やペットが口にしても安全で、かつ、ダニ誘引効果も高い防ダニ捕獲シートを提供する。【解決手段】外側シート２によって形成される袋体内に、ダニ捕獲用粘着層４とダニが好む香り(植物抽出香料)を放出する誘引剤６とが中シート５を間に介して収納され、更に前記粘着層と織布シートとの間に通気性を有するシート３が介在している。【選択図】図２
2008161102.tif 000002
【特許請求の範囲】
【請求項１】
外側シートによって形成される袋体内に、ダニ捕獲用粘着層とダニが好む香りを放出する誘引剤とが中シートを間に介して収納され、更に前記粘着層と外側シートとの間に通気性を有するシートが介在していることを特徴とする防ダニ捕獲シート。
【請求項２】
請求項１に記載の防ダニ捕獲シートにおいて、前記中シートの上に設けられた誘引剤は、ダニは通過できないが香りは放出できる粗さのプロテクトシートにて覆われ、このプロテクトシートは中シートよりも大面積としたことを特徴とする防ダニ捕獲シート。
【請求項３】
請求項１または請求項２に記載の防ダニ捕獲シートにおいて、前記誘引剤は植物抽出香料が含浸された担体と乾燥酵母粉末とが混合されたものであることを特徴とする防ダニ捕獲シート。
【請求項４】
請求項３に記載の防ダニ捕獲シートにおいて、前記植物抽出香料はプロピオン酸ゲラニルであり、前記植物抽出香料が含浸された担体は粉末状炭酸カルシウムまたはガス透過性(徐放性)のある樹脂であることを特徴とする防ダニ捕獲シート。
【発明の詳細な説明】
【技術分野】
【０００１】
本発明は、ダニを効率的に誘引し捕獲することができる防ダニ捕獲シートに関する。
【背景技術】
【０００２】
家ダニやペットのダニ等、住環境内に発生するダニは健康を害する要因となるため除去する必要がある。このようなダニの捕獲・除去を目的とした防ダニシートについてはいくつかのものが既に実用化されていて、ダニ誘引剤として植物や動物由来の香料あるいは酵母粉末が使用されている。
【０００３】
たとえば特許文献１の防ダニシートでは、粘着性を有するダニ誘引剤を備えた防ダニシートを開示している。この防ダニシートでは、二酸化けい素を壁材とした徐放性のマイクロカプセルに食品添加物のフルーツエキスを充填して酵母で発酵させたものをダニ誘引剤として使用することでダニ誘引効果を持続させている。
【０００４】
【特許文献１】特開２００２−２５３１０３号公報
【発明の開示】
【発明が解決しようとする課題】
【０００５】
特許文献１に開示される防ダニシートにあっては、誘引剤はマイクロカプセルに内包されているため徐放性で長持ちはするものの拡散性に乏しく、広範囲に点在するダニの誘引効果に欠けるということがあり、さらに、粘着剤はダニ忌避性があるため、誘引剤と混合すると誘引剤のダニ誘引機能が低下するという問題がある。
【０００６】
例えば、粘着剤と誘引剤を不織布或いは織布シートからなる包袋内に収納する場合に、粘着剤が不織布或いは織布シートの内側面に直接設けられていると、当該粘着剤が塗られた側から、ダニが誘引されにくく、捕獲効果が低減してしまう。
【課題を解決するための手段】
【０００７】
上記の課題を解決するため本発明に係る防ダニ捕獲シートは、外側シートによって形成される袋体内に、ダニ捕獲用粘着層とダニが好む香りを放出する誘引剤とが中シートを間に介して収納され、更に前記粘着層と外側シートとの間に通気性を有するシートが介在している構成とした。
【０００８】
外側シートとしてはダニの忌避効果が少ないものが好ましい。化繊などの不織布は忌避効果があるため、木綿の織布の方が好ましいといえる。また通気性を有するシートとしては例えばポリウレタンシートが挙げられる。
【０００９】
前記誘引剤としては、プロピオン酸ゲラニルなどの植物抽出香料を含浸させた粉末状炭酸カルシウムやガス透過性(徐放性)のある樹脂と乾燥酵母（ビール酵母）粉末とを混合させた構成が考えられる。
【００１０】
また、誘引剤にダニが到達する前にダニを捕獲するため、ダニは通過できないが香りは放出できる粗さで中シートよりも大面積のプロテクトシートにて誘引剤を覆うことが好ましい。このような機能を持つプロテクトシートとしては和紙が好適である。
【発明の効果】
【００１１】
本発明の防ダニ捕獲シートは、特許文献１のよう誘引剤と粘着剤とを混合せず、誘引剤と粘着剤とを中シートによって離隔しているため、粘着剤にダニ忌避効果があっても、ダニ誘引効果の低下を最小限に抑えることができる。また、中シートがあるため誘引剤が飛散し難い。
【００１２】
また、ポリウレタンシート等の通気性を有するシートを間に介在させることで、当該シート内にダニが好む香りが滞留し、誘引効果が向上する。更に、誘引剤を和紙などのプロテクトシートで覆うことで、誘引剤にダニが到達する前にダニを捕獲できる。
【００１３】
尚、本発明の防ダニ捕獲シートは、誘引剤としておよび食品添加物である植物抽出香料を使用し、また担持させる炭酸カルシウムも食品添加物として認められており、併用する乾燥酵母粉末も食用であるため、これらを誤って口に入れても安全である。
【発明を実施するための最良の形態】
【００１４】
以下に本発明の実施例を添付図面に基づいて説明する。図１は本発明に係る防ダニ捕獲シートの全体斜視図、図２は同防ダニ捕獲シートの部分断面図である。防ダニ捕獲シート１は、外側シート２にて形成された包袋内に、下から順にポリウレタン製の通気性を有するシート３、粘着層４、中シート５、誘引剤６、和紙からなるプロテクトシート７が設けられている。
【００１５】
外側シート２としては、通気性が良くダニ捕獲効果のあるものを選定する必要がある。通気性については、誘引剤から放たれる香りを発散しやすくするため、少し粗めのシートとするのが良い。また、ダニが入り込んだり、絡まって捕獲されるような細かい繊維から構成されることも大切である。
【００１６】
以上の観点から、綿等の天然繊維からなる織布、たとえば少し粗めの綿１００％（純綿）の織布が好適に使用できる。なお、不織布等の化学繊維を含むものは、ダニが化学繊維を嫌い誘引効果が低減するため好ましくない。
【００１７】
一面側の外側シート２内側と粘着層４との間に設けられるポリウレタン製シート層３は、連通気泡を有する発泡ポリウレタンからなるものであり、防ダニ捕獲シート１内の通気性を確保するために必須の層である。粉末状炭酸カルシウムに含浸された植物抽出香料は、徐放性があり持続的にダニ誘引効果を発揮するが、これだけでは、たまたま防ダニシートに近づいたダニしか誘い込むことができない。しかし、ポリウレタン製シート層３を備えた本発明の防ダニ捕獲シートであれば、炭酸カルシウム顆粒から徐放された誘引剤は、通気性の良い外側シート２およびポリウレタン製シート層３によって形成された空気の流れに乗って拡散され、広範囲のダニを誘引することができる。
【００１８】
粘着層４は、誘引されたダニを捕獲するためのものであり、例えば両面粘着シートを使用することで、ポリウレタン製シート層３を外側シート２に固定する機能も併せ持たせることができる。また、上記通気性の良い外側シート２によって形成された包袋内の空気の流れを遮断することを避けるために網目状のもの、あるいは、断片状の複数個の粘着シートを使用しても良い。本例では、粘着層４が本来有するネガティブな機能（ダニ忌避性）を、織布シート２との間にポリウレタン製シート層３を配置することで緩和している。
【００１９】
中シート５は誘引剤６が直接粘着層４に接着されるのを防止し、誘引剤６と粘着層４とを分離する役目を果たし、例えば外側シート２と同じ織布を用いる。
【００２０】
誘引剤６は、食品添加物である植物抽出香料が含浸された食品添加物である炭酸カルシウム粉末と乾燥酵母(ビール酵母)粉末とを混合したものである。尚、必ずしも混合せずに不織布に含ませてもよい。
【００２１】
植物抽出香料についてはダニ誘引効果を持つものであれば制限なく使用できる。たとえば、バラ科の抽出香料であるプロピオン酸ゲラニルを挙げることができる。
【００２２】
植物抽出香料は好ましくは炭酸カルシウム粉末に含浸させておく。含浸済みの炭酸カルシウムをある程度の大きさの顆粒状に成形しておいても良いし、含浸前に顆粒を成形し、その後に植物抽出香料を含浸させても良い。炭酸カルシウムは、厚生労働省発行の添加物使用基準リストによれば、栄養目的のカルシウム強化剤として、あるいは、チューインガム、その他の食品の製造用剤として、食品への使用が許可されている。したがって、間違って摂取しても安全である。本発明では、このような植物抽出香料を含浸させた炭酸カルシウム顆粒を使用するため、持続的かつ長期的にダニ誘引のための香りを放出させることができる。
【００２３】
また、もう一つの乾燥酵母粉末は、酵母として機能するものではない。これを併用することによりより捕獲効果が高まる。
【００２４】
図３及び図４は防ダニ捕獲シートの別実施例を示す部分断面図であり、図３に示す実施例にあっては、誘引剤６の表面をプロテクトシートで覆わないで、直接外側シート２でカバーしている。
【００２５】
また、図４に示す実施例にあっては、中シート５をプロテクトシート７で兼用するようにしている。即ち、誘引剤６を和紙の袋に入れて粘着層４と外側シート２との間に配置している。尚、誘引剤６を和紙の袋に入れた場合には、ポリウレタン製シート３と粘着層４の間に誘引剤６を配置することもできる。
【００２６】
以上述べたように、本発明の防ダニ捕獲シートは安全性が高く、かつダニ誘引・捕獲効果も高いため、家庭内の居室、オフィス、ペット・スペース等、より詳細には絨毯の下や畳の下等、ダニを除去したい場所へ配置し、捕獲されたダニを簡単に排除することが可能である。
【図面の簡単な説明】
【００２７】
【図１】本発明に係る防ダニ捕獲シートの全体斜視図
【図２】同防ダニ捕獲シートの部分断面図
【図３】防ダニ捕獲シートの別実施例を示す部分断面図
【図４】防ダニ捕獲シートの別実施例を示す部分断面図
【符号の説明】
【００２８】
１…防ダニ捕獲シート、２…外側シート、３…ポリウレタン製シート、３…中シート、４…粘着層、５…中シート、６…誘引剤、７…プロテクトシート。
【図１】
2008161102.tif 000003
【図２】
2008161102.tif 000004
【図３】
2008161102.tif 000005
【図４】
2008161102.tif 000006